(57)【要約】【課題】排紙トレイの昇降動作に合わせてエンドフェンスを可動式にすることにより、用紙後端がエンドフェンスに擦れることによるスタック状態の乱れ、汚れ、キズ、擦れる音等を防止する用紙積載装置を提供する。【解決手段】画像形成装置Ａから排出される用紙に後処理を施す用紙後処理装置Ｂからの用紙を積載することのできる用紙積載装置１１において、エンドフェンス１２が可動である。【選択図】図１
2008094612.tif 000002
【特許請求の範囲】
【請求項１】
用紙後処理装置から排紙された用紙束を積載して昇降する排紙トレイと、該排紙トレイを駆動する第１の駆動源と、前記用紙束の後端を揃えるエンドフェンスと、を備える用紙積載装置において、
前記エンドフェンスは、前記排紙トレイの昇降に合わせて昇降することを特徴とする用紙積載装置。
【請求項２】
前記エンドフェンスは、ベルト状であることを特徴とする請求項１記載の用紙積載装置。
【請求項３】
前記エンドフェンスは、前記第１の駆動源によって駆動されて昇降することを特徴とすることを特徴とする請求項１又は２記載の用紙積載装置。
【請求項４】
前記エンドフェンスを駆動する第２の駆動源をさらに備えたことを特徴とする請求項１又は２記載の用紙積載装置。
【請求項５】
前記エンドフェンスは、昇降する前記排紙トレイに積載された前記用紙束との摩擦によって昇降することを特徴とする請求項１又は２記載の用紙積載装置。
【請求項６】
前記エンドフェンスは、前記排紙トレイに固定されていることを特徴とする請求項１又は２記載の用紙積載装置。
【請求項７】
請求項１乃至６何れか一項記載の用紙積載装置を備えたことを特徴とする用紙後処理装置。
【請求項８】
請求項７に記載の用紙後処理装置を備えたことを特徴とする画像形成装置。
【発明の詳細な説明】
【技術分野】
【０００１】
本発明は、複写装置、プリンタ等の画像形成装置から排出された用紙に後処理を施す用紙後処理装置、用紙積載装置、及び画像形成装置に関するものである。
【背景技術】
【０００２】
画像形成装置から排出された用紙に後処理を施す用紙後処理装置における用紙積載装置は複数の排紙トレイを有しており、排出された用紙の後端を揃えるエンドフェンスに排紙トレイが固定されていると、排紙トレイ切り換え時には有効である。
このため、従来から、用紙後処理装置における用紙積載装置において、排紙トレイをエンドフェンスに固定する技術が提案されている（例えば、特許文献１参照）。
【０００３】
【特許文献１】特許第３６０００３０号
【発明の開示】
【発明が解決しようとする課題】
【０００４】
しかしながら、特許文献１に開示されるような技術では、用紙排紙動作時にエンドフェンスは動作することはなく、用紙積載時、及び用紙を排紙トレイから分割して取り除いた時には、排紙トレイのみが昇降動作をしており、用紙のエンドフェンスに接触する側の端面がエンドフェンスに擦れていた。
そこで、本発明の目的は、上述した実情を考慮して、排紙トレイの昇降動作に合わせてエンドフェンスを可動式にすることにより、用紙後端がエンドフェンスに擦れることによるスタック状態の乱れ、汚れ、キズ、擦れる音等を防止する用紙積載装置を提供することにある。
【課題を解決するための手段】
【０００５】
上記の課題を解決するために、請求項１に記載の発明は、用紙後処理装置から排紙された用紙束を積載して昇降する排紙トレイと、該排紙トレイを駆動する第１の駆動源と、前記用紙束の後端を揃えるエンドフェンスと、を備える用紙積載装置において、前記エンドフェンスは、前記排紙トレイの昇降に合わせて昇降することを特徴とする用紙積載装置用紙積載装置を特徴とする。
また、請求項２に記載の発明は、前記エンドフェンスは、ベルト状である請求項１記載の用紙積載装置を特徴とする。
また、請求項３に記載の発明は、前記エンドフェンスは、前記第１の駆動源によって駆動されて昇降することを特徴とする請求項１又は２記載の用紙積載装置を特徴とする。
また、請求項４に記載の発明は、前記エンドフェンスを駆動する第２の駆動源をさらに備えた請求項１又２記載の用紙積載装置を特徴とする。
【０００６】
また、請求項５に記載の発明は、前記排紙トレイを昇降させる駆動源を備え、前記エンドフェンスは、昇降する前記排紙トレイに積載された前記用紙束との摩擦によって昇降する請求項１又は２記載の用紙積載装置を特徴とする。
また、請求項６に記載の発明は、前記エンドフェンスは、前記排紙トレイに固定されていることを特徴とする請求項１又は２記載の用紙積載装置を特徴とする。
また、請求項７に記載の発明は、請求項１乃至６何れか一項記載の用紙積載装置を備えた用紙後処理装置を特徴とする。
また、請求項８に記載の発明は、請求項７に記載の用紙後処理装置を備えた画像形成装置を特徴とする。
【発明の効果】
【０００７】
本発明によれば、エンドフェンスを用紙トレイの昇降動作に合わせて可動としたことにより、排紙トレイに積載された用紙のエンドフェンスに接触する部分をコントロールし、排紙トレイ昇降動作時の用紙への負担を軽減することができる。
【発明を実施するための最良の形態】
【０００８】
以下、図面を参照して、本発明の実施の形態を詳細に説明する。図１は本発明を適用する用紙積載装置を備えた用紙後処理装置を示す概略図である。複写装置Ａから排出された用紙は、入口ガイド板１を通って、搬送ローラ２、３によって用紙後処理装置Ｂ内に搬入される。
用紙後処理装置Ｂに搬入された用紙は、分岐爪４、５によって、プルーフ搬送経路、ソート搬送経路、及びスティプル搬送経路に分岐される。プルーフ搬送経路に搬入された用紙は、搬送ローラ６、排紙ローラ７によってプルーフトレイ８に排出される。
ソート搬送経路に搬入された用紙は、搬送ローラ９、排紙ローラ１０によって排紙トレイ１１に排出され、エンドフェンス１２まで用紙が戻されてから排紙トレイ１１に積載される。
スティプル搬送経路に搬入された用紙は、搬送ローラ１３、１４、１５、スティプル排紙ローラ１６によってスティプルトレイ１７に排出され、タタキコロ１８により基準フェンス１９に落下させた後、ジョガーフェンス２０により整合される。
【０００９】
ここで、端綴じの場合、スティプラ２１により所定の位置に綴じ処理され、放出爪、及び排紙ローラ１０によって排紙トレイ１１に放出され、エンドフェンス１２まで用紙束が戻る。
中綴じの場合、ジョガーフェンス２０により用紙が整合され、中綴じスティプラ２２により用紙中央に綴じ処理され、放出爪、放出ローラ２３、搬送ローラ２４により紙折り部の紙折りストッパ２５に搬送され、紙折りブレード２６、紙折りローラ２７により中折りされ、排紙ローラ２８によって中綴じトレイ２９に放出される。
【００１０】
図２は用紙積載装置の第１の実施の形態に用紙束３０が積載されている状態を示す正面図である。図３は図２の用紙積載装置の右側面図である。図２及び図３によれば、タイミングベルト３１に固定板３２によって排紙トレイ１１が固定されており、積載される用紙３０の積載量によって、トレイ駆動ギア（第１の駆動源）３３から動力が伝達され、排紙トレイ１１が昇降動作をする。
また、タイミングベルト３５が、ベルト状のエンドフェンス３４を排紙トレイ１１と同一駆動で動作させるために、トレイ駆動ギア３３からエンドフェンス駆動用ギア３６に架かっており、排紙トレイ１１の動作に伴ってエンドフェンス３４も動作する。
このように、エンドフェンス３４がベルト状であることにより、一繋がりの輪の状態のエンドフェンス３４にすることができ、最低２本のローラがあれば機構ができるので構成を単純にすることができる。
また、エンドフェンス３４が排紙トレイ１１の昇降と同じ駆動源であることにより、エンドフェンス３４は、制御することなく、排紙トレイ１１の昇降動作に同調して動作させることができる。
【００１１】
図４は用紙積載装置の第２の実施の形態に用紙が積載されている状態を示す正面図である。図４において、用紙積載装置である排紙トレイ１１には排紙された用紙束３０が積載されている。一繋がりの輪の形状のエンドフェンス３７は、排紙トレイ１１の昇降動作とは別の第２の駆動源（図示せず）を有し、その動力がプーリ３８に伝達され、エンドフェンス３７が動作する。
このように、一繋がりの輪の形状の、すなわち、ベルト状のエンドフェンス３７が独立した駆動源を有することにより、排紙トレイ１１の昇降動作とは関係なく、エンドフェンス３７を自由に動作させることができる。
【００１２】
図５は用紙積載装置の第３の実施の形態に用紙束が積載されている状態を示す正面図である。ベルト状のエンドフェンス３９は、駆動源を持たず、プーリ４０は自由に回転することができる。
エンドフェンス３９は、用紙束３０を積載した排紙トレイ１１が昇降動作をした時に、用紙束３０がエンドフェンス３９に接触した部分の摩擦により、用紙３０に付随して自由に動作する。
このように、エンドフェンス３９が駆動源を持たないことにより、エンドフェンス３９を駆動させるための機構が必要なく、排紙トレイ１１の昇降動作時に積載された用紙束３０により自由に動作させられることができる。
【００１３】
図６は用紙積載装置の第４の実施の形態に用紙が積載されている状態を示す正面図である。図６において、用紙積載装置である排紙トレイ１１には用紙束３０が積載されている。ベルト状のエンドフェンス４１はネジ４２によって排紙トレイ１１に固定されており、かくして、エンドフェンス４１はこの排紙トレイ１１の昇降動作と常に同時に動作する。
このように、可動であるエンドフェンス４１が排紙トレイ１１に固定されており、従って、エンドフェンス４１は、とくに複雑な機構や特別な制御がなくても排紙トレイ１１の昇降動作に合わせて常に動作することができる。
なお、本発明の用紙積載装置は用紙後処理装置に適用することができる。また、この用紙後処理装置は、複写機、プリンタ、ファクシミリ装置等々の画像形成装置の一部として適用することができる。
【図面の簡単な説明】
【００１４】
【図１】本発明を適用する用紙積載装置を備えた用紙後処理装置を示す概略図。
【図２】用紙積載装置の第１の実施の形態に用紙が積載されている状態を示す正面図。
【図３】図２の用紙積載装置の右側面図。
【図４】用紙積載装置の第２の実施の形態に用紙が積載されている状態を示す正面図。
【図５】用紙積載装置の第３の実施の形態に用紙が積載されている状態を示す正面図。
【図６】用紙積載装置の第４の実施の形態に用紙が積載されている状態を示す正面図。
【符号の説明】
【００１５】
Ａ  画像形成装置、Ｂ  用紙後処理装置、１０  排紙ローラ、１１  用紙積載装置（排紙トレイ）、１２、３４、３７、３９、４１  エンドフェンス、３０  用紙束、３１  タイミングベルト、３２  固定板、３３  トレイ駆動ギア、３５  タイミングベルト、３６  エンドフェンス駆動用ギア、４２  ネジ
【図１】
2008094612.tif 000003
【図２】
2008094612.tif 000004
【図３】
2008094612.tif 000005
【図４】
2008094612.tif 000006
【図５】
2008094612.tif 000007
【図６】
2008094612.tif 000008